(57)【要約】【課題】本発明は製造費用を減らすことができる液晶表示装置を提供する。【解決手段】本発明の液晶表示装置は、バックライトユニットが収納される四角巻き枠形状のサポートメイン；サポートメイン上に配置される液晶表示パネル；及びサポートメインの第１及び第２部分を各々覆うように配置されて互いに分離された第１及び第２トップケースとを具備する。第１及び第２トップケースはサポートメインと接触して第１及び第２トップケースの間にある前記液晶表示パネルを覆う。【選択図】図１
2011065159.tif 000002
【特許請求の範囲】
【請求項１】
バックライトユニットが収納される四角巻き枠形状のサポートメイン；
前記サポートメイン上に配置される液晶表示パネル；及び
前記サポートメインの第１及び第２部分を各々覆うように配置されて互いに分離された第１及び第２トップケースとを具備し、
前記第１及び第２トップケースは、前記サポートメインと接触し、前記サポートメインと前記第１及び第２トップケースの間にある前記液晶表示パネルを覆うことを特徴とする液晶表示装置。
【請求項２】
前記第１及び第２トップケースの各々は、前記液晶表示パネルが置かれた方向へ突出されると共に前記サポートメインに固定されるのに適合に形成された多数の第１突起及び多数の第２突起とを含む特徴とする請求項１記載の液晶表示装置。
【請求項３】
前記サポートメインは、前記多数の第１突起と向かい合う前記サポートメインの表面領域に、前記第１突起の端段形状と同一の形状に形成された多数の第１固定溝とを含む特徴とする請求項２記載の液晶表示装置。
【請求項４】
前記サポートメインは、前記多数の第２突起と向かい合う前記サポートメインの側面領域に、前記第２突起の端段形状と同一の形状に形成された多数の第２固定溝とを含む特徴とする請求項２記載の液晶表示装置。
【請求項５】
前記第１及び第２突起は、前記第１及び第２トップケースと一体的に形成されることを特徴とする請求項２記載の液晶表示装置。
【請求項６】
前記第１及び第２トップケースは、前記第１及び第２部分を含む前記サポートメインの表面及び側面と面接触することを特徴とする請求項１記載の液晶表示装置。
【請求項７】
前記第１及び第２トップケースの各々は、前記第１及び第２トップケースの各々の両端に形成され、前記第１及び第２トップケースの各々の長軸方向に前記液晶表示パネルが流動するのを防止する固定部とを含むことを特徴とする請求項１記載の液晶表示装置。
【請求項８】
前記固定部は、前記サポートメインの表面とも接触することを特徴とする請求項７記載の液晶表示装置。
【請求項９】
前記固定部は、前記第１及び第２トップケースと一体に形成されることを特徴とする請求項７記載の液晶表示装置。
【請求項１０】
前記固定部は、前記液晶表示パネルの表面の端と接触するように形成され、前記液晶表示パネルの損傷を防止するラウンド部とを含む特徴とする請求項７記載の液晶表示装置。
【発明の詳細な説明】
【技術分野】
【０００１】
本発明は液晶表示装置に関し、特に製造費用を削減することができる液晶表示装置に関する。
【背景技術】
【０００２】
一般的に広く使用されている表示装置の中の一つであるCRT(cathode ray tube)はTVを始めて計測機器、情報端末機器等のモニタに主に利用されているが、CRTはそれ自体の重さと大きさによって電子製品の小型化、軽量化に積極的に対応することができなかった。
【０００３】
このような問題に対する解決策として、液晶表示装置は軽量化、薄型化、低消費電力駆動等の特徴によって、その応用範囲が次第に広がっている傾向にある。これにより、液晶表示装置は使用者の要求に答える大面積化、薄型化、低消費電力化の方向に進行されている。
【０００４】
前記液晶表示装置はCRTとは異なり、自ら光らせる表示装置ではないから、液晶表示パネルの背面には画像を視覚的に表現するために光を提供する別途の光源を含むバックライトユニット（Backlight Unit）が具備される。
【０００５】
バックライトユニットは金属材質からなるボトムカバーの内部側面に配置された光源ユニットと、ボトムカバーの内部に順次的に取り付けられた反射シート、導光板及び光学シート等を含むように構成される。
【０００６】
このような液晶表示装置は、さらに液晶表示モジュールを具備する。液晶表示モジュールの組み立ては、バックライトユニット上に液晶表示パネルが配置され、液晶表示パネルの端をすべて囲む金属材質のトップケースがバックライトユニットのボトムカバーと結合されることによって完成される。
【０００７】
組み立てが完了した液晶表示モジュールは、トップケースとボトムカバーを囲む別途の上部及び下部システムケースと結合されると共に、前記液晶表示モジュールを駆動させる駆動システムが前記下部システムケース内に設置されることで、使用者が使用することができる液晶表示装置の完成品が作られる。
【０００８】
しかし、液晶表示モジュールの構成が複雑であるだけではなく、上記のように、液晶表示パネルを囲むトップケース、液晶表示モジュールの上/下部を囲む上/下部システムケースが、一般的に液晶表示装置に具備される。これにより、一般的な液晶表示装置は構成が複雑で、製造費用が高いという問題があった。
【先行技術文献】
【特許文献】
【０００９】
【特許文献１】特開２００８−２１６３７０号公報
【発明の概要】
【発明が解決しようとする課題】
【００１０】
本発明は製造費用を削減することができる液晶表示装置を提供することを目的とする。
【課題を解決するための手段】
【００１１】
本発明の一つの実施例による液晶表示装置は、バックライトユニットが収納される四角巻き枠形状のサポートメイン；サポートメイン上に配置される液晶表示パネル；及びサポートメインの第１及び第２部分を各々覆うように配置されて互いに分離された第１及び第２トップケースとを具備することを特徴とする。ここで、第１及び第２トップケースはサポートメインと接触して、第１及び第２トップケースの間にある前記液晶表示パネルを覆う。
【発明の効果】
【００１２】
本発明は、第１及び第２トップケースが液晶表示パネル及びサポートメインの長軸方向の第１及び第２側面と対応されるように分離される構造で形成される。本発明は、一般的な液晶表示装置のトップケースと比べて第１及び第２トップケースの面積が縮小されるため、材料費及び物流費を減らすことができる。これに加えて、 第１及び第２トップケースが同一の形状を有するためにそれらの射出製造が容易である。従って、本発明は液晶表示装置の製造費用を削減することができる。
【図面の簡単な説明】
【００１３】
【図１】本発明の一つの実施例による液晶表示装置を示した分解斜視図である。
【図２】図１のトップケース及びサポートメインを示した斜視図である。
【図３】図１のＩ−Ｉ’ラインに沿って切断した液晶表示装置を示した断面図である。
【図４】図１のII-II’ラインに沿って切断した液晶表示装置を示した断面図である。
【発明を実施するための形態】
【００１４】
添付した図面を参照して本発明による実施例を詳細に説明するようにする。
【００１５】
図１は本発明の一つの実施例による液晶表示装置を示した分解斜視図であり、図２は図１のトップケース及びサポートメインを示した斜視図であり、図３は図１のＩ−Ｉ’ラインに沿って切断した液晶表示装置を示した断面図であり、図４は図１のII−II’ラインに沿って切断した液晶表示装置を示した断面図である。
【００１６】
図１乃至図４に示されるように、本発明の一つの実施例による液晶表示装置は、映像が表示される液晶表示パネル１１０と、液晶表示パネル１１０の下部に配置されて光を提供するバックライトユニット１３０とを含む。また、本発明の液晶表示パネルは、液晶表示パネル１１０の一側端と接触するように構成された第１トップケース１０１と、一側端と相反された液晶表示パネル１１０の他側端と接触するように構成された第２トップケース１０３とを更に含む。第１及び第２トップケース１０１、１０３は互いに分離される。
【００１７】
液晶表示パネル１１０は、互いに対向して均一のセルギャップが維持されるように結合されるカラーフィルター基板１１３及び薄膜トランジスタ基板１１１と、これら２つの基板の間に介在された液晶層を含む。図面には詳細に図示していないが、前記カラーフィルター基板１１３及び薄膜トランジスタ基板１１１を詳細に説明する。薄膜トランジスタ基板１１１は、互いに交差して複数の画素を定義する複数のゲートライン及びデータラインと、ゲートラインとデータラインの交差領域に形成されて画素に実装された画素電極と連結された薄膜トランジスタ（TFT:thin flim transistor）とを具備する。一方、カラーフィルター基板１１３は、各画素に対応されるR,G,Bカラーのカラーフィルター、これら各々の端においてゲートラインとデータライン及び薄膜トランジスタを隠すブラックマトリックスと、これらすべてを覆う共通電極とを含む。
【００１８】
液晶表示パネル１１０の側面には、液晶表示パネル１１０のゲートライン及びデータラインに各々接続されゲートラインへスキャン信号を供給するゲート駆動部（図示せず）と、データラインへデータ信号を供給するデータ駆動部（図示せず）が具備される。ここで、前記ゲート及びデータ駆動部は、TCP(tape carrier package)のタップによって液晶表示パネル１１０と電気的に連結される。
【００１９】
液晶表示装置はバックライトユニット１３０を収納し、液晶表示パネル１１０を支持する四角巻き枠形状のサポートメイン１２０を更に含む。
【００２０】
バックライトユニット１３０は、サポートメイン１２０の内部の一側に具備され光を発光する光源１５０と、光源１５０と並んで配置され線光または点光を面光へと変換する導光板１６０と、導光板１６０上に配置され導光板１６０から照射された光を拡散及び集光させる光学シート等１４０と、導光板１６０の下部に配置され導光板１６０の下部方向へ進行する光を液晶表示パネル１１０方向へ反射させる反射シート１７０とを含む。バックライトユニット１３０は、反射シート１７０の下部の一側に配置されたボトムカバー１８０を更に具備する。
【００２１】
導光板１６０は、PMMA(poly methyl methacrylate)材質であってよく、図面には詳細に表れていないが、光源１５０が配置された入射面から遠くなるほど厚さが薄くなる楔形状となることができる。導光板１６０の背面には入射された光を光学シート等１４０方向へ屈折させるためのプリーズムパターンが形成される。
【００２２】
光学シート等１４０は、光を拡散させる拡散シートと、光を集光させる集光シートと、前記集光シートを保護するための保護シートとを含む。
【００２３】
図面には示されていないが、光源１５０は、ランプまたは少なくとも一つの発光ダイオードのいずれか一つであってよい。また、光源１５０は、ランプまたは少なくとも一つの発光ダイオードを囲むように具備されランプまたは少なくとも一つの発光ダイオードから発光された光を導光板１６０方向へガイドする光ガイド部を更に含むことができる。
【００２４】
前記第１及び第２トップケース１０１、１０３は、長軸方向に沿って液晶表示パネル１１０の一側及び他側に各々配置されるように互いに分離された構造をとる。第１トップケース１０１は、液晶表示パネル１１０の第１端に配置されて、第２トップケース１０３は、液晶表示パネル１１０の第１端と対向する第２端に配置される。
【００２５】
第１及び第２トップケース１０１、１０３は、向かい合う液晶表示パネル１１０の二つの端と接触する構造をとる。第１及び第２トップケース１０１、１０３は、液晶表示パネル１１０の長軸方向に沿って向かい合うサポートメイン１２０の第１側面及び第２側面と各々接触する。さらに、第１及び第２トップケース１０１、１０３の内部面は、前記サポートメイン１２０の第１及び第２側面と面接触される。
【００２６】
図２に示されるように、第１及び第２トップケース１０１、１０３の上部面には、一定の間隔を置いて内側方向へ突出された複数の第１突起１０５が形成される。また、第１及び第２トップケース１０１、１０３の側面には、一定の間隔を置いて内側方向へ突出された複数の第２突起１０７が形成される。
【００２７】
前記第１及び第２突起１０５、１０７はホック構造となることができる。
前記第１及び第２突起１０５、１０７は、第１及び第２トップケース１０１、１０３が射出工程を通じて製造される際、第１及び第２トップケース１０１、１０３と一体的に形成することができる。
【００２８】
第１突起１０５と対応するサポートメイン１２０の上部面には、第１突起１０５が挿入されることができるように複数の第１固定溝１２５が一定の間隔を置いて形成される。複数の第１固定溝１２５は複数の第１突起１０５に各々整列される。第１固定溝１２５は、第１突起１０５の突出された端段形状と同一の形状である。第１突起１０５が第１固定溝１２５に締結されることで、サポートメイン１２０から第１及び第２トップケース１０１、１０３の第１方向（ｙ−ｙ’）（即ち、液晶表示パネル１１０の短軸方向）への液晶表示パネル１１０の流動を防止することができる。
【００２９】
第２突起１０７と対応するサポートメイン１２０の側面には第２突起１０７が挿入されることができるように複数の第２固定溝１２７が一定の間隔を置いて形成される。複数の第２固定溝１２７は第２突起１０７の突出された端段形状と同一の形状である。第２突起１０７が第２固定溝１２７に締結されることで、サポートメイン１２０から第１及び第２トップケース１０１、１０３の第２方向（ｚ−ｚ’）（即ち、液晶表示パネル１１０の厚さ方向）への液晶表示パネル１１０の流動を防止することができる。
【００３０】
第１及び第２固定溝１２５、１２７は、サポートメイン１２０が射出工程を通じて製造される際、同時にサポートメイン１２０に形成される。
【００３１】
第１及び第２トップケース１０１、１０３各々の両側端段には固定部１０９が各々具備される。サポートメイン１２０の側面は第１及び第２トップケース１０１、１０３の間に置かれるので、固定部１０９はサポートメイン１２０の長軸方向への液晶表示パネル１１０の流動を防止することができる。また、固定部１０９はサポートメイン１２０の表面と接触する。更に、固定部１０９は、第１及び第２トップケース１０１、１０３各々の両側端段を互いに対向するように曲げることによって形成される。固定部１０９は、第１及び第２トップケース１０１、１０３が射出工程を通じて製造される際に、第１及び第２トップケース１０１、１０３と一体的に形成することができる。固定部１０９は、サポートメイン１２０から第１及び第２トップケース１０１、１０３の第３方向（ｘ−ｘ’）（即ち、液晶表示パネル１１０の長軸方向）への液晶表示パネル１１０の流動を防止することができる。
【００３２】
固定部１０９にはラウンド部１０８が形成される。ラウンド部１０８は液晶表示パネル１１０の上部面端と接触するように形成される。ラウンド部１０８は、第１及び第２トップケース１０１、１０３と液晶表示パネル１１０との摩擦による液晶表示パネル１１０の損傷を防止するための機能を有する。即ち、ラウンド部１０８は、液晶表示パネル１１０と第１及び第２トップケース１０１、１０３の脱着の際に液晶表示パネル１１０の損傷を低減する。ラウンド部１０８は、第１及び第２トップケース１０１、１０３が射出工程を通じて製造される際、同時に形成される。
【００３３】
本発明の一つの実施例では第１及び第２トップケース１０１、１０３の第１及び第２突起１０５、１０７がサポートメイン１２０の第１及び第２固定溝１２５，１２７に固定される構造を限定して説明しているが、これに限定されない。例えば、液晶表示装置の種類によってはサポートメイン１２０の側面を囲むボトムカバーが具備される場合があり、その場合、第２固定溝１２７と対応されるボトムカバーの側面に受容ホールを形成し、第１及び第２トップケース１０１、１０３の第２突起１０７が受容ホールを貫通してサポートメイン１２０の第２固定溝１２７に固定される構造とすることができる。
【００３４】
以上で説明した本発明の一つの実施例による液晶表示装置は、液晶パネル１１０及びサポートメイン１２０の長軸方向に沿った第１及び第２側と対応される第１及び第２トップケース１０１、１０３が互いに分離された構造を有し、一般的な液晶表示装置のトップケースと比べて第１及び第２トップケース１０１、１０３の面積が縮小されるため、材料費を減らすことができる。
【００３５】
また、第１及び第２トップケース１０１、１０３は、同一の形状であり、それらの射出製造が容易で、製造費用を減らすことができる長所を有する。
【００３６】
このように、本発明は一般的な液晶表示装置のトップケースの製造費用及び物流費用を５０％以上減らし、液晶表示装置の製造費用を減らせる長所を有する。
【００３７】
以上説明した内容を通じて当業者であると、本発明の技術思想を逸脱しない範囲で多様な変更及び修正が可能であることが分かれるだろう。従って、本発明の技術範囲は明細書の詳細な説明に記載された内容に限定されることではなく、特許請求の範囲によって定めなければならない。
【符号の説明】
【００３８】
１０１：第１トップケース、 １０３：第２トップケース、 １０５：第１突起、 １０７：第２突起、 １０８：ラウンド部、 １０９：固定部、 １１０：液晶表示パネル、 １１１：薄膜トランジスタ基板、 １１３：カラーフィルター基板、 １２０：サポートメイン、 １２５：第１固定溝、 １２７：第２固定溝、 １３０：バックライトユニット、 １５０：光源、 １４０：光学シート等、 １６０：導光板、 １７０：反射シート、 １８０：ボトムカバー
【図１】
2011065159.tif 000003
【図２】
2011065159.tif 000004
【図３】
2011065159.tif 000005
【図４】
2011065159.tif 000006